(57)【要約】【課題】色の決定を迅速かつ容易に行うことができる色提示方法、及びその色提示方法に用いる色見本セットを提供することを目的とする。【解決手段】この色提示方法は、ベース塗料に対して略同一の顔料を異なる添加量で添加して着色された複数の塗料の色見本２からなるグループの色見本２１を顔料の添加量順に配列した色見本カード（Ａ）１１、又は前記グループの色見本の顔料添加量を示す添加量データ（ＡＤ）と、前記グループの代表色を顔料の添加量順に配列した色見本カード（Ｂ）１２とを組み合わせた色見本セットを、前記顔料の種類が異なる複数のグループについて作製したものを用い、複数の色見本カード（Ｂ）１２からなる色見本カードセット（Ｃ）を提示し、次いで、色見本カードセット（Ｃ）の中から指定された色の近似色を色見本カード（Ａ）１１又は、添加量データ（ＡＤ）に基づいて作製した色見本によって提示するものである。【選択図】図１
2013246160.tif 000002
【特許請求の範囲】
【請求項１】
ベース塗料に対して略同一の顔料を異なる添加量で添加して着色された複数の塗料の色見本からなるグループの色見本を顔料の添加量順に配列した色見本カード（Ａ）、又は前記グループの色見本の顔料添加量を示す添加量データ（ＡＤ）と、前記グループの代表色を顔料の添加量順に配列した色見本カード（Ｂ）とを組み合わせた色見本セットを、前記顔料の種類が異なる複数のグループについて作製したものを用い、
まず、複数の色見本カード（Ｂ）からなる色見本カードセット（Ｃ）を提示し、次いで、色見本カードセット（Ｃ）の中から指定された色の近似色を色見本カード（Ａ）、又は添加量データ（ＡＤ）に基づいて作製した色見本によって提示することを特徴とする色提示方法。
【請求項２】
ベース塗料に対して略同一の顔料を異なる添加量で添加して着色された複数の塗料の色見本からなるグループの色見本を顔料の添加量順に配列した色見本カード（Ａ）と、前記グループの代表色を顔料の添加量順に配列した色見本カード（Ｂ）とを組み合わせたことを特徴とする色見本セット。
【請求項３】
ベース塗料に対して略同一の顔料を異なる添加量で添加して着色された複数の塗料の色見本からなるグループの色見本を顔料の添加量順に配列した色見本カード（Ａ）と、前記グループの代表色を顔料の添加量順に配列した色見本カード（Ｂ）とのセットを、前記顔料の種類が異なる複数のグループについて作製し、複数の色見本カード（Ａ）と、複数の色見本カード（Ｂ）からなる色見本カードセット（Ｃ）とを組み合わせたことを特徴とする色見本セット。
【請求項４】
ベース塗料に対して略同一の顔料を異なる添加量で添加して着色された複数の塗料の色見本からなるグループの色見本の顔料添加量を示す添加量データ（ＡＤ）と、前記グループの代表色をベース塗料に対する顔料の添加量順に配列した色見本カード（Ｂ）とを組み合わせたことを特徴とする色見本セット。
【請求項５】
ベース塗料に対して略同一の顔料を異なる添加量で添加して着色された複数の塗料の色見本を一つのグループからなるグループの色見本の顔料添加量を示す添加量データ（ＡＤ）と、前記グループの代表色をベース塗料に対する顔料の添加量順に配列した色見本カード（Ｂ）とのセットを、前記顔料の種類が異なる複数のグループについて作製し、複数の添加量データ（ＡＤ）と、複数の色見本カード（Ｂ）からなる色見本カードセット（Ｃ）とを組み合わせたことを特徴とする色見本セット。
【発明の詳細な説明】
【技術分野】
【０００１】
この発明は、様々な用途で用いられる塗料、コーティング剤、又はインク等（以下、すべてまとめて「塗料」という。）の色を選択するために、色を提示する色提示方法、及びその色提示方法に用いる色見本セットに関する。
【０００２】
前記塗料を塗装する被塗装物は特に限定しないが、以下の説明においては、主に、建築物の内装あるいは外装、あるいは屋外構造物等の建築物或いは建造物に用いる塗料について説明する。
【背景技術】
【０００３】
従来、色見本や色見本帳を利用した色の提案が行なわれ、建築物の内装あるいは外装、室内調度品、室内装飾、又は屋外構造物、及びそれらを構成する建築材料等に使用される塗料を選択することがあった。
このような用途で使用される色見本、色見本帳としては、例えば、下記の特許文献１、特許文献２などがある。
【０００４】
特許文献１には、３色以上の色見本を並べて示した１枚の色見本カードであって、この３色以上の色見本には、その色見本カードの基本となる基調色、その基調色に変化を与えることができる副調色、色見本カード全体を引き締めることができる強調色をそれぞれ１種又は２種以上有し、前記基調色を示す基調色色見本が他の色を示す色見本の面積よりも大きく、前記強調色を示す強調色色見本の面積が最も小さいことを特徴とする色見本カード、及びそれらの色見本カードを複数枚組合せた色見本帳が記載されている。
【０００５】
特許文献２には、メインカラーとその他の色からなる３色以上の色見本を有するカラーカード複数枚を順番に組合せた色見本帳であって、特定された１枚のカラーカードのメインカラーとなる色の色相が、その特定された１枚のカラーカードの前後の少なくとも一方で接しているカラーカードに表示された色からなる色相範囲内に含まれるものであることを特徴とする色見本帳が記載されている。
【０００６】
また、１枚の色見本カードに複数の色見本を配する場合には、色相が類似した色見本を明度順に配列したもの、或いは彩度順に配列したもの、また、色相とトーン（明度と彩度の複合概念）を組み合わせて配列したもの等があった
【先行技術文献】
【特許文献】
【０００７】
【特許文献１】特開２００４−１０２２５０号公報
【特許文献２】特開２００５−２２７５３２号公報
【発明の開示】
【発明が解決しようとする課題】
【０００８】
近年、色に対する顧客の要求が多様化しており、従来の色見本帳等で色の提示を行っても、その色見本帳等に表示されていない色を求められるケースが増えてきている。その要求に応えるために、色見本帳等で提示する色見本の数を増やすことが行われている。しかし、色見本の数が増えると選択肢は多くなるものの、色を決定する作業に時間を要するという問題があった。
【０００９】
また、提示した色見本帳に顧客が求める色がない場合には、多くの場合には、色見本帳に提示された色を基にして、顧客が要求する色を探す作業が行われる。例えば、ある色見本より濃い色、薄い色、明るい色といった要求、又はある色見本と別の色見本の中間の色といった要求を基に、塗料を調合して色見本を作製して、顧客にその色見本を提示して色を決定するといった作業が行われていた。この方法は、顧客の求める色を提示することができるものの、塗料の調合に時間を要するという問題があった。
【００１０】
本発明は、上記の問題点に着目してなされたものであり、色の決定を迅速かつ容易に行うことができる色提示方法、及びその色提示方法に用いる色見本帳を提供することを目的とする。
【課題を解決するための手段】
【００１１】
請求項１の発明は、ベース塗料に対して略同一の顔料を異なる添加量で添加して着色された複数の塗料の色見本からなるグループの色見本を顔料の添加量順に配列した色見本カード（Ａ）、又は前記グループの色見本の顔料添加量を示す添加量データ（ＡＤ）と、前記グループの代表色を顔料の添加量順に配列した色見本カード（Ｂ）とを組み合わせた色見本セットを、前記顔料の種類が異なる複数のグループについて作製したものを用い、まず、複数の色見本カード（Ｂ）からなる色見本カードセット（Ｃ）を提示し、次いで、色見本カードセット（Ｃ）の中から指定された色の近似色を色見本カード（Ａ）、又は添加量データ（ＡＤ）に基づいて作製した色見本によって提示することを特徴とする色提示方法である。
【００１２】
請求項２の発明は、ベース塗料に対して略同一の顔料を異なる添加量で添加して着色された複数の塗料の色見本からなるグループの色見本を顔料の添加量順に配列した色見本カード（Ａ）と、前記グループの代表色を顔料の添加量順に配列した色見本カード（Ｂ）とを組み合わせたことを特徴とする色見本セットである。
【００１３】
請求項３の発明は、ベース塗料に対して略同一の顔料を異なる添加量で添加して着色された複数の塗料の色見本からなるグループの色見本を顔料の添加量順に配列した色見本カード（Ａ）と、前記グループの代表色を顔料の添加量順に配列した色見本カード（Ｂ）とのセットを、前記顔料の種類が異なる複数のグループについて作製し、複数の色見本カード（Ａ）と、複数の色見本カード（Ｂ）からなる色見本カードセット（Ｃ）とを組み合わせたことを特徴とする色見本セットである。
【００１４】
請求項４の発明は、ベース塗料に対して略同一の顔料を異なる添加量で添加して着色された複数の塗料の色見本からなるグループの色見本の顔料添加量を示す添加量データ（ＡＤ）と、前記グループの代表色をベース塗料に対する顔料の添加量順に配列した色見本カード（Ｂ）とを組み合わせたことを特徴とする色見本セットである。
【００１５】
請求項５の発明は、ベース塗料に対して略同一の顔料を異なる添加量で添加して着色された複数の塗料の色見本を一つのグループからなるグループの色見本の顔料添加量を示す添加量データ（ＡＤ）と、前記グループの代表色をベース塗料に対する顔料の添加量順に配列した色見本カード（Ｂ）とのセットを、前記顔料の種類が異なる複数のグループについて作製し、複数の添加量データ（ＡＤ）と、複数の色見本カード（Ｂ）からなる色見本カードセット（Ｃ）とを組み合わせたことを特徴とする色見本セットである。
【発明の効果】
【００１６】
請求項１に記載した色提示方法によれば、色の決定を迅速かつ容易に行うことができる。
【００１７】
請求項２〜請求項５に記載の色見本セットを用いれば、色の決定を迅速かつ容易に行うことができる。
【発明を実施するための最良の形態】
【００１８】
本発明の色提示方法、及び色見本セットの一例を、図を示しながら説明する。なお、本発明は、以下の例に限定されるものではなく、本発明の範囲において様々な形態で実施することができる。
【００１９】
図１は、塗料の色見本２１を１５個配置した色見本カード（Ａ）１１と、その色見本カード色見本カード（Ａ）１１の代表色の色見本を８個配置した色見本カード（Ｂ）１２とを示している。前記色提示方法提示では、この二つの色見本カードを用いて色の提示を行う。
【００２０】
色見本カード（Ａ）１１に配置された色見本のグループを以下の説明では「グループａ」という。グループａはベース塗料に略同一の顔料を添加して着色された塗料の色見本のグループであって、ベース塗料に対して最も顔料の添加量が多い塗料の色（以下、「最濃色」という。）をａ１として、ベース塗料に対する顔料の添加量が多いものから順に配列されており、ａ１５はベース塗料に対して最も顔料の添加量が少ない塗料の色（以下、「最淡色」という。）となっている。
【００２１】
なお、図１の色見本カード（Ａ）１１では、グループａの１５個の色見本を２列に並べているが、１列や３列以上に並べても構わない。また、色見本の数が多い場合には、色見本カード（Ａ）１１を複数にしてもよい。例えば、グループａにａ１〜ａ８を１枚目の色見本カード（Ａ）に配列し、ａ９〜ａ１０を別の色見本カード（Ａ）に配列することもできる。その中でも、特に見やすく、色を選択しやすいのは、最濃色から最淡色までを１列に並べたものである。
【００２２】
また、図２に示すように、複数のグループの色見本を１枚目の色見本カード（Ａ）に配列することができる。図２の色見本カード（Ａ）２１は、グループａに加え、グループａとは異なる顔料で着色されたグループｂ及びグループｃの色見本が配列されている。なお、グループｂ及びグループｃは最濃色はｂ１及びｃ１であって、顔料の添加量が多いものから順に配列されている。
【００２３】
色見本カード（Ａ）１１に色見本を配列するには、所定の大きさで作製した色見本を色見本カード（Ａ）１１に貼り付けてもいいし、或いは塗料を直接、色見本カード（Ａ）１１に塗装してもいい。なお、色見本及び色見本カード（Ａ）の材質は特に限定しない。例えば、紙、樹脂フィルム、樹脂板などを使用できる。
【００２４】
前記ベース塗料とは、前記色見本の基になる塗料であって、特定の色に着色されている塗料を用いる。なお、特定の色は、特に限定しないが、その色をベースにして顔料を添加して色をつけていくことを考慮すると、白であることが好ましい。なお、着色されていない塗料（クリヤー塗料）をベース塗料とすることもできるが、そのような塗料では、顔料の添加量の増減による色の変化が少ないため、本発明では、特定の色に着色されている塗料を用いるこが好ましい。
【００２５】
なお、塗料の種類等は特に限定しない。溶媒として水系溶剤を用いる水系塗料、溶媒として有機溶剤を用いる溶剤系塗料、又はそれら以外の塗料であってもよい。また、塗料に使用される結合材も、一般的に塗料に使用されている樹脂等でよく、例えば、アクリル樹脂、ウレタン樹脂、エポキシ樹脂、メラミン樹脂、アルキッド樹脂、塩化ビニル樹脂、シリコーン樹脂、酢酸ビニル樹脂、ポリエステル樹脂、スチレン樹脂、フッ素樹脂などの合成樹脂、或いは天然樹脂や天然油脂等を挙げることができる。これらの樹脂は単独で用いてもよく、又は共重合したものを用いてもよい。
【００２６】
前記顔料をしては、一般的に塗料に使用されるものを用いればよく、酸化チタン、酸化亜鉛、黄鉛、亜鉛華、オーカー、ベンガラ、カーボンブラック、カドミウムレッド、モリブデンレッド、クロムエロー、酸化クロム、プルシアンブルー、コバルトブルー等の無機系着色顔料、アゾ系顔料、ジケトピロロピロール系顔料、ベンズイミダゾロン系顔料、フタロシアニン系顔料、キナクリドン系顔料、イソインドリン顔料、イソインドリノン顔料、スレン系顔料、ペリレン顔料、ペリノン系顔料、ジオキサン系顔料等の有機系着色顔料などが挙げられる。
【００２７】
これらの顔料は単独で用いてもよし、これらの顔料を２種類以上混合してつくった顔料を用いてもよい。前記した「同一の顔料」とは、１種類の顔料を用いる場合にはその顔料を指し、２種類以上の顔料を混合してつくった顔料を用いる場合には、２種類以上の顔料を特定の割合で混合した顔料を指す。なお、２種類以上の顔料を混合した顔料を用いる場合には、各顔料をベース塗料に別々に添加して混合してもよい。また、「略同一」としたのは、２種類以上の顔料をベース塗料に別々に添加する場合、顔料の添加量が少ないときに、顔料を計量する計器の精度によって、顔料の割合に多少の誤差が生じることがあるためである。よって、「略同一の顔料」とは、前記の「同一の顔料」に加えて、２種類以上の顔料を略同一の割合で混合してつくった顔料を含む。
【００２８】
顔料の組み合わせについては特に限定しない。希望する色になるように着色すればよいが、ベース塗料に略同一の顔料を添加して製造した塗料の色見本のグループをつくるためには、まず、基準となる色見本の顔料と顔料の添加量を決定して、その顔料を使用して、顔料の添加量を増やしたり減らしたりして塗料を製造して色見本を作っていくとよい。
【００２９】
特に、最濃色を決定し、その塗料から顔料の添加量を減らして、複数の塗料を製造していくと色見本の作製が容易である。
【００３０】
一般的に塗料は、ベース塗料に対する顔料の添加量が多くなると塗膜の性能が低下していく傾向がある。塗料は被塗装物によって様々な性能が要求され、例えば、建築物に塗装する塗料には、建築物を保護するための性能が要求される。その要求性能を満足する範囲で最濃色を決定しておけば、その塗料より顔料の添加量が少ない塗料は、ほとんどの場合、要求性能を満たしている。したがって、最濃色を最初に決定しておけば、塗料に要求される性能を満たす塗料によって色見本をつくることができる。なお、ベース塗料に顔料を添加して着色していく際は、顔料の添加量が多くなって塗膜の性能が低下するのを抑制するために、塗料に樹脂成分等を追加するためにビヒクルを添加することもある。
【００３１】
また、色の決定を迅速かつ容易に行うためには、色見本カード（Ａ）は、最濃色と最淡色の中間の色（以下、「中間色」という。）の色見本を複数且つ満遍なく有していることが好ましい。満遍なくとは、例えば、中間色が最濃色、最淡色又はある特定の色に近い色に偏らず、最濃色に近い色から最淡色に近い色までを段階的に複数有していることである。また、ベース塗料が白色に着色されている塗料である場合には、最淡色はベース塗料の色に近い色に設定するとよい。このように最淡色を設定しておけば、顧客が求める色が淡色であっても色の決定を迅速かつ容易に行える。
【００３２】
このような色見本カード（Ａ）を得るためには、ベース塗料に対する顔料の添加量を最濃色から最淡色の間で段階的に変化させて色見本を作製すればよい。
【００３３】
また、ベース塗料が白色に着色されている塗料である場合には、明度は顔料の添加量が増えるに従って大きくなる傾向があるため、明度を基準にしてもよい。具体的には、最濃色から最淡色の間で顔料の添加量によって明度を段階的に変化させて色見本を作製すればよい。
なお、前記明度はマンセル表色系における数値をもとに説明している。以下の説明においても同様とする。
【００３４】
顔料の添加量によって明度を段階的に変化させる場合には、顔料の添加量順に配列された色見本において、隣り合う色見本の明度差を０．５０未満とするとよく、更に明度差の平均値（最濃色から最淡色までの色見本の明度差の平均値）を０．２５未満且つとするとよい。顔料の添加量の違いによる明度差が０．５０未満であれば、人間の視覚ではそれほど大きな色の差を感じないため、中間色の色見本が満遍なく且つ細密に配列された色見本カード（Ａ）を得ることができる。そのような色見本カード（Ａ）を使えば、色の決定を迅速かつ容易に行える。なお、明度差の平均値を０．２５未満とすると、人間の視覚では感じる色の差がより小さくなり、中間色の色見本がより満遍なく且つ細密に配列された色見本カード（Ａ）を得ることができる。
なお、前記明度差０．０２以上であることがより好ましいは、明度差が０．０２未満になると隣り合う色見本の色の差が人間の視覚ではほとんど感じられないくらい小さくなるので、それほど明度差が小さい色見本はほとんど必要ない。明度差の小さすぎる色見本を色見本カード（Ａ）に加えると、色見本カード（Ａ）によって提示する色見本の数が多すぎで、色の決定を迅速かつ容易に行うことが難しくなる。
【００３５】
また、最淡色は、白色のベース塗料との明度差が１．００未満（好ましくは、０．５未満）とするよい。このように最淡色を設定しておけば、顧客が求める色が淡色であっても色の決定を迅速かつ容易に行える。特に、建築物等では、淡色系の色が好まれるため、最淡色を白色に近い色に設定するとよい。特には、最淡色の明度を９．００〜９．６０の範囲で設定するとよい。
【００３６】
なお、色見本カード（Ａ）に配列する色見本グループは、色見本の数が５〜６０個（より好ましくは１０〜４０個）であることが好ましい。色見本が少ないと前記色見本カード（Ｂ）との色見本の数の差が少なすぎて、色の決定を迅速かつ容易に行うという本発明の効果を発揮できない。例えば、色見本が少なすぎる場合には、色の提示に色見本カード（Ｂ）を用いる過程が増えることで、逆に時間を要することもある。色見本の数が多すぎる場合には、隣り合う色見本の色の差が人間の視覚ではほとんど感じられなくなるくらい小さくなるので、それほどの数の色見本は必要ない。色見本カード（Ａ）によって提示する色見本の数が多すぎると色の決定を迅速かつ容易に行うことが難しくなる。
【００３７】
図１に示す色見本カード（Ｂ）２１は、色見本カード（Ａ）１１に配列された色見本から、代表色として、ａ１、ａ３、ａ５、ａ７、ａ９、ａ１１、ａ１３、ａ１５を選択して配列したものである。
【００３８】
色見本カード（Ｂ）２１では、色見本カード（Ａ）１１に配列された色見本から１つ飛ばしで代表色を選択しているが、代表色の選択はこれに限定されない。２つ以上飛ばして代表色を選択してもよい。また、それらを組み合わせて代表色を選択することもできる。例えば、ａ１、ａ４、ａ７、ａ１０、ａ１３、ａ１５といったように、２つ飛ばしと１つ飛ばしを組み合わせて代表色を選択してもよい。また、例えば、ａ１、ａ２、ａ４、ａ６、ａ８、ａ１０、ａ１２、ａ１４のように場合によっては、隣り合う色見本（この場合は、ａ１とａ２）を選択してもよい。
【００３９】
なお、色見本カード（Ｂ）は、色の決定を迅速かつ容易に行うために作製するものであるので、代表色の数は、色見本カード（Ａ）に配列された色見本の数の１／２以下、且つ２個以上（より好ましくは３個以上）であることが好ましい。更に、代表色が最濃色を含んでいることが好ましい。また、色見本カード（Ａ）に配列された色見本から１つ飛ばし及び／又は複数飛ばしで選択されていることがより好ましい。このような色見本カード（Ｂ）と色見本カード（Ａ）を用いることで、色の決定を迅速かつ容易に行うことができる。
なお、色見本カード（Ａ）の色見本の数が多い場合には、代表色の数が少なすぎると色の決定を迅速かつ容易に行うことが難しくなるので、代表色の数は色見本カード（Ａ）に配列された色見本の数の１／１０以上（好ましくは１／７以上）であることが好ましい。
【００４０】
また、ベース塗料が白色の塗料であり、色見本カード（Ａ）で隣り合う色見本の明度差が０．５０未満、特に明度差の平均値が０．２５未満である場合には、色見本カード（Ｂ）で隣り合う色見本の明度差を０．５０〜３．００（より好ましくは０．５０〜２．００）に設定するとよい。明度差０．５０未満では色の差を感じにくいため、おおまかに色を選択するための色見本カード（Ｂ）では明度差を０．５０以上としておくとよい。逆に、明度差が３．００を超えると、色の差が大きくなり過ぎて希望する色に近い色を見つけにくくなるため、色の決定を迅速かつ容易に行えなくなる恐れがある。
【００４１】
以上に説明した色見本カード（Ａ）及び色見本カード（Ｂ）のセットを複数作製する。略同一の顔料だけでは、色相や色彩が限られてくるので、色見本カード（Ａ）及び色見本カード（Ｂ）のセットは多く作製しておくほど色の決定を迅速かつ容易に行うことができる。
【００４２】
このように複数の色見本カード（Ｂ）を作製したら、それらを合わせて色見本カードセット（Ｃ）とする。色見本カードセット（Ｃ）の一例を図３に示す。
【００４３】
図３の色見本カードセット（Ｃ）１３は、図２の色見本カード（Ａ）１１に配列されたグループａ、グループｂ、及びグループｃの色見本に対応する色見本カード（Ｂ）１２を束ねたものである。
【００４４】
図１及び図３に示す色見本カード（Ｂ）２１では、綴じ穴２２があけられている。これは、複数の色見本カード（Ｂ）を合わせて色見本カードセット（Ｃ）とした際に、複数の色見本カード（Ｂ）綴じるのに使用する。
【００４５】
なお、色見本カードセット（Ｃ）は、複数の色見本カード（Ｂ）を合わせたものであり、必ずしも綴じたり束ねられたりしている必要はない。また、綴じ方や束ね方は任意であって、色見本カード（Ｂ）２１のような綴じ穴２２は必須ではない。
【００４６】
前記色提示方法は、前記色見本カード（Ａ）と色見本カードセット（Ｃ）とによって色を提示し、色を決定する方法である。また、色見本カード（Ａ）の代わりに、色見本カード（Ａ）に配列された色見本のベース塗料に対する顔料の添加量を示す添加量データ（ＡＤ）を用いてもよい。この添加量データ（ＡＤ）は、データの記録媒体は、データを確認できるものであれば特に限定しない。例えば、紙等に書いたものであってもいし、電子記録媒体等に保存したものであってもよい。
【００４７】
まず、前記色見本カード（Ａ）と色見本カードセット（Ｃ）とによって色を提示する方法について説明する。なお、以下の説明では、色を提示する者を「提示者」、色を選択する者を「選択者」という。
【００４８】
最初に、提示者は色見本カードセット（Ｃ）を選択者に提示し、選択者は色見本カードセット（Ｃ）から希望する色に近い色の色見本を指定する。
【００４９】
次いで、提示者は、選択者が指定した色見本が属するグループの色見本カード（Ａ）、及び／又は指定した色見本の近似色が属するグループの色見本カード（Ａ）を選択者に提示し、選択者は提示された色見本の中から希望する色を決定する。
【００５０】
このとき、色見本カードセット（Ｃ）で指定した色見本が属するグループの色見本カード（Ａ）、及び／又は指定した色見本の近似色が属するグループの色見本カード（Ａ）を全て提示する必要はない。色見本カード（Ａ）の中から色見本カードセット（Ｃ）で指定した色見本と顔料添加量が近い色の色見本だけを提示することもでき、その方が色の決定をより迅速に行える。
【００５１】
以上のように、まず色見本カードセット（Ｃ）でおおまかに色を指定することで、複数の色見本カード（Ａ）の中から必要なものだけを選択者に提示することができ、複数の色見本カード（Ａ）を全て選択者に提示することなく色の決定を行える。そのため、提示者は選択者に提示する色見本の数を減らすことができ、選択者は色の決定を迅速かつ容易に行うことができる。
【００５２】
また、色見本カード（Ａ）が、ベース塗料に対して略同一の顔料を添加した塗料の色見本を顔料の添加量順に配列したものであることによって、仮に色見本カード（Ａ）に選択者が希望する色がなかったとしても、希望する色の塗料の顔料添加量を容易に割り出せるという副次的なメリットもある。
【００５３】
例えば、図１の色見本カード（Ａ）１１において、選択者がａ２とａ３の間の色を希望した場合、使用する顔料は既に決定されており、ａ２とａ３の顔料添加量も分かっているので、ａ２とａ３の中間の添加量で顔料を添加すればよく、選択者が希望する色が容易に得られる。
【００５４】
また、選択者が色見本カード（Ａ）１１にはないａ２の近似色を希望した場合には、ａ２に使用されている顔料及び顔料添加量が分かっているので、その顔料が一種類の顔料だけのときは、他の顔料を少量組み合わせることで、また、その顔料が２種類以上の顔料を特定の割合で組み合わせたものであるときは、顔料の割合を少し変えたり他の顔料を少量組み合わせたりすることで、選択者が希望する色が容易に得られる。
【００５５】
次に、前記添加量データ（ＡＤ）と色見本カードセット（Ｃ）とによって色を提示する方法について説明する。
【００５６】
最初に、提示者は色見本カードセット（Ｃ）を選択者に提示し、選択者は色見本カードセット（Ｃ）から希望する色に近い色の色見本を指定する。
【００５７】
次いで、提示者は、選択者が指定した色見本が属するグループの添加量データ（ＡＤ）、及び／又は指定した色見本の近似色が属するグループの添加量データ（ＡＤ）を基にベース塗料に顔料を添加して塗料を製造し、選択者が指定した色見本の近似色の色見本を作製して選択者に提示し、選択者は提示された色見本の中から希望する色を決定する。
【００５８】
このとき、色見本カードセット（Ｃ）で指定した色見本が属するグループの色見本カード（Ａ）、及び／又は指定した色見本の近似色が属するグループの色見本カード（Ａ）を全て提示する必要はない。色見本カードセット（Ｃ）で指定した色見本と顔料添加量が近い色の色見本だけを提示することもでき、その方が色の決定をより迅速に行える。
【００５９】
以上のように、まず色見本カードセット（Ｃ）でおおまかに色を指定することで、添加量データ（ＡＤ）から得られる色見本の中から必要な色見本だけを作製して選択者に提示することができ、添加量データ（ＡＤ）から得られる色見本を全てを選択者に提示することなく色の決定を行える。そのため、提示者は選択者に提示する色見本の数を減らすことができ、選択者は色の決定を迅速かつ容易に行うことができる。
【００６０】
また、仮に色見本カード（Ａ）に選択者が希望する色がなかったとしても、希望する色の塗料の顔料添加量を容易に割り出せるという副次的メリットもある。また、添加量データ（ＡＤ）から塗料を製造して色見本を作製するため、色の決定に用いる色見本のサイズや形状を任意に決定できるという副次的メリットもある。
【００６１】
色は、色が塗られた面積の大きさや形、背景の色などによって、その色の見え方や色から受ける印象が変わることがある。このような現象の代用的なものとしては、色の面積効果、対比現象、同化現象などがある。そのため、例えば、建築物の外壁等のように広い面積をもつ物の色を決めるときは、大きな色見本で確認できた方が、色見本で見た印象と、実施に塗装した外壁から受ける印象を近いものにすることができる。このように、色見本のサイズや形状を任意に決定できることによって、被塗装物に実際に塗料を塗装したものに近い印象の色見本を提示することができる。
【実施例】
【００６２】
以下に色見本カード（Ａ）、添加量データ（ＡＤ）、及び色見本カード（Ｂ）の具体例な作製例を以下に示す。これら以外のものも同様の手順で作製できる。
【００６３】
ベース塗料として、以下の配合の白色塗料を使用した。
アクリル樹脂エマルション（不揮発分５０質量％）６０質量部、白色顔料（酸化チタン）１８質量部、添加剤（造膜助剤、界面活性剤、消泡剤、防腐・防カビ剤）１２質量部、水１０質量部。
【００６４】
また、ビヒクルは以下の配合のものを使用した。
アクリル樹脂エマルション（不揮発分５０質量％）６０質量部、添加剤（造膜助剤、界面活性剤、消泡剤、防腐・防カビ剤）１０質量部。
【００６５】
また、顔料として、３種類の顔料を以下の比率で組み合わせたものを使用した。なお、各顔料は、塗料との混和性を考慮して、予め溶媒中に分散させてある分散液を使用しており、以下の比率は分散液の比率を示している。
カーボンブラック１６質量部、ベンガラ２０質量部、オーカー６４質量部。
【００６６】
まず、塗料の耐候性や、その他の性能を考慮して最濃色を決定した。次に、最濃色から顔料の添加量を減らしていき、表１に示すＸ１〜Ｘ３０の配合の塗料を製造した。
【００６７】
表１には、ベース塗料に対する顔料の添加量（顔料／ベース塗料）、その塗料の色見本の明度、隣り合う色見本の明度差も記載されている。なお、明度差は一つ上の行の色見本との明度差である。
【００６８】
【表１】
2013246160.tif 000003
【００６９】
表１に示す塗料は、Ｘ１が最濃色であり、下に行くに従って顔料の添加量が少なくなっていき、明度は大きくなっていく。
【００７０】
また、明度差の最大値は０．４０であって、明度差の平均値は０．１９であった。また、最淡色の明度は９．４６であり、最淡色とベース塗料の明度差は０．１２であった。
【００７１】
なお、表１には、ベース塗料に対する顔料の添加量が示されており、これを添加量データ（ＡＤ）として利用することができる。
【００７２】
まず、Ｘ１〜Ｘ３０の塗料をそれぞれ２ｃｍ×５ｃｍの紙に塗装して、３０個の色見本を作製した。次いで、それらの色見本を、Ｘ１から順に６ｃｍ×７０ｃｍのアクリル板に一列に貼り付けて色見本カード（Ａ）を作製した。
【００７３】
次いで、色見本カード（Ａ）の色見本の代表色としてＸ１、Ｘ５、Ｘ１０、Ｘ１５、Ｘ２０、Ｘ２５、Ｘ３０を選択し、それらの塗料をそれぞれ２ｃｍ×５ｃｍの紙に塗装して、７個の色見本を作製した。次いで、それらの色見本を、Ｘ１から順に６ｃｍ×２０ｃｍの紙に一列に貼り付けて色見本カード（Ｂ）を作製した。
【００７４】
このとき、色見本カード（Ｂ）において隣り合う色見本の明度差の最大値は１．１３、最小値は０．７３であった。
【００７５】
以上と同様の手順で、顔料が異なる３００個グループの色見本カード（Ａ）、添加量データ（ＡＤ）、及び色見本カード（Ｂ）を作製した。
３００個の色見本カード（Ａ）に用いた色見本は約９０００個であり、色見本カード（Ｂ）に用いた色見本は約２０００個であった。
【００７６】
これらの色見本カード（Ｂ）を束ねて色見本カードセット（Ｃ）を作製した。なお、色見本カード（Ｂ）の数が多かったので、色の選択をより容易に行えるように、各グループの最濃色の色相を測定し、色見本カード（Ｂ）を色相Ｒのものから１０ＲＰのものまでを色相順に並べて束ねた。
【符号の説明】
【００７７】
１１  色見本カード（Ａ）
１２  色見本カード（Ｂ）
１３  色見本カードセット（Ｃ）
２１  色見本
２２  綴じ穴
【図面の簡単な説明】
【００７８】
【図１】本発明の色見本カード（Ａ）と色見本カード（Ｂ）とのセットの構成を示す図
【図２】本発明の色見本カード（Ａ）の一例を示す図
【図３】本発明の色見本カード（Ｂ）の一例を示す図
【図１】
2013246160.tif 000004
【図２】
2013246160.tif 000005
【図３】
2013246160.tif 000006